(57)【要約】【課題】臭気漏れを防止し、高さ制限のある天井にも設置可能であり、組立時や設置時での作業性が損なわれず、構造も簡素化できる空気調和機を提供することを目的とする。【解決手段】本発明にかかる空気調和機１１０は、上面が開放された筐体１１２と、筐体の中に形成され臭気が発生する室内空間１０６から吸引された空気を室外に排気する第１区画１１２Ａと、第１区画に配置された換気ファン１３０と、第１区画に配置されたヒートポンプ１２０の熱交換器１２５と、筐体の中に形成され臭気が発生しない室内空間１０２、１０４に対して空気を循環させる第２区画１１２Ｂと、第２区画に配置された循環ファン１４０と、第２区画に配置されたヒートポンプの熱交換器１２３と、筐体の内部であって第１区画の外に横置きに配置されたヒートポンプのコンプレッサ１２１とを備える。【選択図】図３
2012202680.tif 000002
【特許請求の範囲】
【請求項１】
上面が開放された筐体と、
前記筐体の中に形成され臭気が発生する室内空間から吸引された空気を室外に排気する第１区画と、
前記第１区画に配置された換気ファンと、
前記第１区画に配置されたヒートポンプの第１の熱交換器と、
前記第１区間と仕切られていて、前記筐体の中に形成され臭気が発生しない室内空間に対して空気を循環させる第２区画と、
前記第２区画に配置された循環ファンと、
前記第２区画に配置された、前記ヒートポンプの第２の熱交換器と、
前記筐体の内部であって前記第１区画の外に横置きに配置された、前記ヒートポンプのコンプレッサとを備えたことを特徴とする空気調和機。
【請求項２】
前記筐体の底板には、前記第１および第２の熱交換器を取付けるための取付部、および、該第１および第２の熱交換器で熱交換されて凝縮されたドレン水を受けるドレンパンが一体成形されていることを特徴とする請求項１に記載の空気調和機。
【請求項３】
前記筐体の底板には、ドレン水を排水する排水口と、前記ドレンパンから前記排水口に至るドレン水経路とが形成されていて、
前記ドレン水経路は、前記排水口に近い程、高さが低くなる勾配を有することを特徴とする請求項２に記載の空気調和機。
【請求項４】
前記換気ファンは前記第１の熱交換器の上面を覆う第１の隔壁を有し、
前記筐体は前記換気ファンと前記循環ファンとの間を隔てる第２の隔壁を有し、
前記第１の熱交換器の側端部には前記第１区画と前記第２区画との間を隔てる端板が設けられていることを特徴とする請求項１から３のいずれか１項に記載の空気調和機。
【請求項５】
前記第１区画の外に、前記第１の熱交換器を除くヒートポンプおよび該ヒートポンプの冷媒配管を集約して配置し、
前記第１区画に配置された前記第１の熱交換器の側端部は、前記第１区画の外に隣接していて、該側端部から前記ヒートポンプに接続される冷媒配管が、前記端板および前記第１の隔壁に挟まれた位置から延びていることを特徴とする請求項４に記載の空気調和機。
【請求項６】
前記第１または第２の熱交換器と同じ区画内に、前記第１または第２の熱交換器をバイパスする経路を形成するダンパーを設けたことを特徴とする請求項１から５のいずれか１項に記載の空気調和機。
【請求項７】
前記コンプレッサが配置された前記筐体の下面に、補強用リブを一体成形することを特徴とする請求項１から６のいずれか１項に記載の空気調和機。
【請求項８】
前記筐体の下面を下方から覆う板金製の枠材と、
前記枠材の隅に設けられ、前記筐体を天井の梁に吊るための吊り金具をさらに備え、
前記枠材は、前記筐体に配置された前記コンプレッサに対応する位置に橋渡しされた板金製の支持部材を備えることを特徴とする請求項１から７のいずれか１項に記載の空気調和機。
【請求項９】
前記第２の熱交換器は、絞り弁で接続された２つの熱交換器を含み、
前記ヒートポンプは前記第２の熱交換器から出た冷媒を前記第１の熱交換器を介さずに前記コンプレッサに戻すバイパス用切替弁を更に有することを特徴とする請求項１から８のいずれか１項に記載の空気調和機。
【発明の詳細な説明】
【技術分野】
【０００１】
本発明は、ヒートポンプを内蔵した独立型の空気調和機に関するものである。
【背景技術】
【０００２】
ヒートポンプを利用して室内空間の換気や空調を行う空気調和機が知られている（例えば、特許文献１）。室内空間としては、浴室、洗面脱衣所、トイレなどが挙げられる。
【０００３】
特許文献１には、循環経路および換気経路を形成した空気調和機が開示されている。循環経路では、例えば浴室内の空気を取り入れて、この空気の排熱をヒートポンプで使用した後に、浴室内に吹出して空気を循環している。また、換気経路では、室内空間に開口した排気口から空気を吸引して室外に排気している。
【０００４】
この空気調和機のヒートポンプは、冷媒を圧縮するコンプレッサと、循環経路内に配置された熱交換器と、冷媒を膨張させる膨張弁と、換気経路内に配置された熱交換器とを有し、冷媒がこれらの順に循環するように配管接続されている。さらに、ヒートポンプは、流路切換弁（四方弁）を有していて、四方弁で冷媒の循環する方向を切り換えることで、暖房運転や冷房運転が可能となっている。
【先行技術文献】
【特許文献】
【０００５】
【特許文献１】特開２００９−６３２７８号公報
【発明の概要】
【発明が解決しようとする課題】
【０００６】
ところで、室内空間のうちトイレでは、臭気が発生する場合がある。特許文献１に記載の空気調和機では、空気の経路を単にダンパーで形成していることから、トイレの空気を吸引して室外に排気する際に、換気経路から循環経路に臭気が漏れて、臭気が浴室に循環してしまう可能性がある。
【０００７】
また、集合住宅のような天井の高さに制限がある場合には、空気調和機の高さ方向が小さいことが望ましい。しかし、特許文献１では、高さ方向の大きなコンプレッサを内蔵しているので、集合住宅の天井には設置が困難となる場合がある。
【０００８】
さらに、上記空気調和機の外装体（筐体）は、下方が開放されていて、コンプレッサ、熱交換器やファンなどの重量の大きな部材を筐体に収容する際には、これらの部材を筐体から吊るなどしなければならず、作業性が損なわれ、また、各部材を取付けるための構造も複雑になる。
【０００９】
本発明は、このような課題に鑑み、臭気漏れを防止し、高さ制限のある天井にも設置可能であり、組立時や設置時での作業性が損なわれず、構造も簡素化できる空気調和機を提供することを目的としている。
【課題を解決するための手段】
【００１０】
上記課題を解決するために、本発明にかかる空気調和機造の代表的な構成は、上面が開放された筐体と、筐体の中に形成され臭気が発生する室内空間から吸引された空気を室外に排気する第１区画と、第１区画に配置された換気ファンと、第１区画に配置されたヒートポンプの第１の熱交換器と、第１区画と仕切られていて、筐体の中に形成され臭気が発生しない室内空間に対して空気を循環させる第２区画と、第２区画に配置された循環ファンと、第２区画に配置された、ヒートポンプの第２の熱交換器と、筐体の内部であって第１区画の外に横置きに配置された、ヒートポンプのコンプレッサとを備えたことを特徴とする。
【００１１】
上記構成によれば、第１区画と第２区画が仕切られているため、臭気が発生する室内空間（例えば、トイレ）の空気が他の室内空間に循環してしまうことを防止できる。また、コンプレッサが横置きで配置されているので、空気調和機の高さ方向の大きさを小さくできる。このため、集合住宅のような天井の高さに制限がある場合でも、ヒートポンプを内蔵した独立型の空気調和機として設置可能となる。さらに、上面が開放された筐体であるため、筐体の中にファンや熱交換器などを収容した後にそのままの姿勢で天井などに設置することができる。このため、構造の簡素化、組立作業および設置作業の簡素化を図ることができる。また、排気の熱（温熱および冷熱を含む）をヒートポンプの熱源として温度調節することができるため、単に換気していた場合と比べて、空調機のＣＯＰ（動作係数）を向上させることができる。
【００１２】
筐体の底板には、第１および第２の熱交換器を取付けるための取付部、および、第１および第２の熱交換器で熱交換されて凝縮されたドレン水を受けるドレンパンが一体成形されているとよい。これにより、第１および第２の熱交換器の取付部が筐体に一体成形されているので、第１および第２の熱交換器の取付けが容易となる。また、筐体にドレンパンが一体成形されているので、ドレンパンからのドレン水を受けるための連結用配管が不要となり、構造を簡素化できる。
【００１３】
筐体の底板には、ドレン水を排水する排水口と、ドレンパンから排水口に至るドレン水経路とが形成されていて、ドレン水経路は、排水口に近い程、高さが低くなる勾配を有するとよい。これにより、ドレン水を排水口に確実に排水できる。
【００１４】
換気ファンは第１の熱交換器の上面を覆う第１の隔壁を有し、筐体は換気ファンと循環ファンとの間を隔てる第２の隔壁を有し、第１の熱交換器の側端部には第１区画と第２区画との間を隔てる端板が設けられているとよい。これにより、第１の熱交換器と換気ファンを筐体に取り付けるだけで、第１の熱交換器の周囲において第１区画と第２区画とを仕切ることができる。したがって、組立作業の簡略化を図ることができる。
【００１５】
第１区画の外に、第１の熱交換器を除くヒートポンプおよびヒートポンプの冷媒配管を集約して配置し、第１区画に配置された第１の熱交換器の側端部は、第１区画の外に隣接していて、側端部からヒートポンプに接続される冷媒配管が、端板および第１の隔壁に挟まれた位置から延びているとよい。これにより、第１の熱交換器の冷媒配管以外の、ヒートポンプおよびヒートポンプの冷媒配管は、第１区間の外に集約されている。その上、第１区画から第１区画の外に延びている第１の熱交換器の冷媒配管の位置は、端板および第１の隔壁に挟まれているから、第１区画の密閉性の確保が容易となる。
【００１６】
第１または第２の熱交換器と同じ区画内に、第１または第２の熱交換器をバイパスする経路を形成するダンパーを設けるとよい。これにより、コンプレッサを停止した状態で換気ファンまたは循環ファンを動作させる際に、熱交換器を介さずに送風することにより、圧力損失を低減してファンの効率を改善することができる。
【００１７】
コンプレッサが配置された筐体の下面に、補強用リブを一体成形するとよい。これにより、コンプレッサの重量を補強用リブが受けるので、筐体の強度を高めることができる。
【００１８】
筐体の下面を下方から覆う板金製の枠材と、枠材の隅に設けられ、筐体を天井の梁に吊るための吊り金具をさらに備え、枠材は、筐体に配置されたコンプレッサに対応する位置に橋渡しされた板金製の支持部材を備えるとよい。これにより、重量が大きな空気調和機を、例えば浴室の天井に吊り金具を介して確実に設置できる。また、コンプレッサが収容された筐体全体を、支持部材を含む枠材が受けるので、筐体が歪む等の不具合を回避できる。
【００１９】
第２の熱交換器は、絞り弁で接続された２つの熱交換器を含み、ヒートポンプは第２の熱交換器から出た冷媒を第１の熱交換器を介さずにコンプレッサに戻すバイパス用切替弁を更に有するとよい。これにより、冷房運転、暖房運転に加えて、再熱除湿運転を行うことができる。特に、室内空間（例えば、浴室）で衣類を乾燥させる際に、暖房気味の除湿運転を行うと、暖房気味であるので衣類周囲の相対湿度を低下させ、さらに、室内空間から吸込んだ空気を除湿するので、衣類乾燥を促進できる。
【発明の効果】
【００２０】
本発明によれば、臭気漏れを防止し、高さ制限のある天井にも設置可能であり、組立時や設置時での作業性が損なわれず、構造も簡素化できる空気調和機を提供することができる。
【図面の簡単な説明】
【００２１】
【図１】本実施形態における空気調和機および空気調和機が設置される屋内を説明する図である。
【図２】空気調和機の分解斜視図である。
【図３】空気調和機の上面図である。
【図４】空気調和機のヒートポンプを説明する図である。
【図５】空気調和機の斜視図である。
【図６】空気調和機の筐体を説明する図である。
【図７】空気調和機のコンプレッサおよび筐体の下面に設置される枠材を示す図である。
【図８】空気調和機に枠材が取付けられる状態を示す図である。
【発明を実施するための形態】
【００２２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２３】
図１は、本実施形態における空気調和機および空気調和機が設置される屋内を説明する図である。屋内の居住空間１００は、例えば、室内空間としての浴室１０２、洗面脱衣所１０４およびトイレ１０６に区画されている。空気調和機１１０は、浴室１０２の天井裏に設置されていて、浴室１０２、洗面脱衣所１０４およびトイレ１０６とダクト１０８を介して接続されている。空気調和機１１０は、図中の矢印１０２ａ、１０４ａ、１０６ａ、１０８ａに示すように、浴室１０２、洗面脱衣所１０４およびトイレ１０６に対して空気の換気を行う。また、空気調和機１１０は、図中白抜きの矢印１０２ｂ、１０２ｃ、１０４ｂ、１０４ｃに示すように、浴室１０２および洗面脱衣所１０４に対して空気の循環を行う。
【００２４】
図２は、空気調和機１１０の分解斜視図である。図３は、空気調和機１１０の上面図である。図３（ａ）は、空気調和機１１０の組立状態を示す上面図である。図３（ｂ）は、図３（ａ）の一部を省略して示す上面図である。
【００２５】
空気調和機１１０は、図２に示すように、上面が開放された筐体１１２を備えている。筐体１１２は、底板枠１１４と、底板枠１１４を囲む側壁１１６とを有する。筐体１１２の側壁１１６には、ダクト口１１８ａ、１１８ｂ、１１８ｃ、１１８ｄ、１１８ｅが取付けられる（図２および図３参照）。また、筐体１１２の底板枠１１４には、図３（ｂ）に示すように、ダンパー１１４ａ、１１４ｂ、１１４ｃが形成されている。さらに、筐体１１２の底板枠１１４は、ほぼ中央に形成されたリブ１１９ａと、このリブ１１９ａから連続して形成された隔壁１１９ｂとを有する。
【００２６】
空気調和機１１０は、図２に示すように、筐体１１２に上方から配置されるヒートポンプ（冷媒サイクル）１２０と、換気ファン１３０と、循環ファン１４０と、ドレンポンプ１５０とを備え、これらの部材が図３（ａ）に示すレイアウトで筐体１１２の中に搭載されている。さらに、空気調和機１１０は、筐体１１２の上面を覆う天板１６０と、筐体１１２の下面に下方から取付けられるパネル１７０とを備える。また、換気ファン１３０には、隔壁１３２が取付けられている。
【００２７】
筐体１１２は、図３（ｂ）に示すように、換気経路を形成する第１区画１１２Ａと、第１区画１１２Ａから仕切られていて、循環経路を形成する第２区画１１２Ｂと、第１区画１１２Ａの外でありヒートポンプ１２０の大部分を集約して配置する第３区画（サイクル室）１１２Ｃとに区画されている。
【００２８】
第１区画１１２Ａには、図２および図３（ａ）に示す換気ファン１３０が設置される。第１区画１１２Ａに形成される換気経路では、換気ファン１３０により、図３（ｂ）に示すように、浴室１０２の空気がダンパー１１４ａから吸引され（矢印１０２ａ参照）、洗面脱衣所１０４、トイレ１０６の空気がダクト口１１８ａ、１１８ｂから吸引される（矢印１０４ａ、１０６ａ参照）。そして、吸引された空気は、換気ファン１３０により、ダクト口１１８ｃから排気される（矢印１０８ａ参照）。
【００２９】
第２区画１１２Ｂには、図２および図３（ａ）に示す循環ファン１４０が設置される。第２区画１１２Ｂに形成される循環経路では、循環ファン１４０により、図３（ｂ）に示すように、浴室１０２の空気がダンパー１１４ｂから吸引され（矢印１０２ｂ参照）、ダンパー１１４ｃから浴室１０２に吹出される（矢印１０２ｃ参照）。また、循環経路では、循環ファン１４０により、図３（ｂ）に示すように、洗面脱衣所１０４の空気がダクト口１１８ｅから吸引され（矢印１０４ｂ参照）、ダクト口１１８ｄから洗面脱衣所１０４に吹出される（矢印１０４ｃ参照）。
【００３０】
図４は、空気調和機１１０のヒートポンプ１２０を説明する図である。以下、図３（ｂ）および図４を参照して、第３区画１１２Ｃに大部分が集約されたヒートポンプ１２０、およびヒートポンプ１２０による暖房運転、冷房運転および再熱除湿運転について説明する。
【００３１】
ヒートポンプ１２０は、冷媒を循環させ、冷媒の気化熱および凝縮熱を用いて浴室１０２、洗面脱衣所１０４およびトイレ１０６から吸引された空気と熱交換を行う装置である。ヒートポンプ１２０は、図４に示すように、冷媒を圧縮するコンプレッサ１２１と、冷媒の循環方向を逆転させる四方弁１２２と、第２区画１１２Ｂに配置された熱交換器（第２の熱交換器）１２３と、冷媒を膨張させる膨張弁１２４と、第１区画１１２Ａに配置された熱交換器（第１の熱交換器）１２５と、バイパス用切換弁１２６とを有していて、これらの各部材が冷媒配管により接続されている。
【００３２】
熱交換器１２３は、２つの熱交換器１２３Ａ、１２３Ｂと、熱交換器１２３Ａ、１２３Ｂを接続する絞り弁１２３Ｃとを含んでいる。なお、絞り弁１２３Ｃは、暖房運転および冷房運転では流路を絞らず、再熱除湿運転でのみ流路を絞り、膨張弁として機能する。また、バイパス用切換弁１２６は、再熱除湿運転でのみ流路を切換えて、バイパス経路（図中、点線）１２７を形成する。
【００３３】
まず、暖房運転について説明する。暖房運転では、図中、矢印Ａに示す方向で冷媒が循環するように、四方弁１２２を図示のように設定する。ここで、膨張弁１２４により膨張され減圧した冷媒は、熱交換器１２５を通過する際に蒸発して、空気から吸熱を行う。このとき、換気ファン１３０を運転することで、洗面脱衣所１０４およびトイレ１０６から吸引された空気（図３（ｂ）の矢印１０４ａおよび１０６ａ参照）が熱交換器１２５を通過し、排気される。
【００３４】
熱交換器１２５を通過した空気から吸熱した冷媒は、コンプレッサ１２１により圧縮され高温、高圧気体になり、熱交換器１２３を通過する際に凝縮して、空気に対して放熱を行う。このとき、循環ファン１４０を運転することで、浴室１０２または洗面脱衣所１０４から吸引された空気（図３（ｂ）の矢印１０２ｂおよび１０４ｂ参照）が熱交換器１２３を通過する。よって、熱交換器１２３の放熱により空気が加熱されて、ダンパー１１４ｃまたはダクト口１１８ｄから浴室１０２または洗面脱衣所１０４に吹出し、暖房を行うことができる。
【００３５】
次に、冷房運転について説明する。冷房運転では、図中、矢印Ｂに示す方向で冷媒が循環するように、四方弁１２２を設定する。ここで、コンプレッサ１２１により圧縮され高温、高圧気体になった冷媒は、熱交換器１２５を通過する際に凝縮して、空気に対して放熱を行う。このとき、換気ファン１３０を運転することで、洗面脱衣所１０４およびトイレ１０６から吸引された空気が熱交換器１２５を通過し、排気される。
【００３６】
熱交換器１２５を通過した空気に対して放熱した冷媒は、膨張弁１２４により膨張され、低温、低圧となり、熱交換器１２３を通過する際に蒸発して、空気から吸熱を行う。このとき、循環ファン１４０を運転することで、浴室１０２または洗面脱衣所１０４から吸引された空気が熱交換器１２３を通過する。よって、熱交換器１２３の吸熱により空気が冷却されて、ダンパー１１４ｃまたはダクト口１１８ｄから浴室１０２または洗面脱衣所１０４に吹出し、冷房を行うことができる。
【００３７】
次に、再熱除湿運転について説明する。再熱除湿運転では、暖房運転と同様に、矢印Ａに示す方向で冷媒が循環するように、四方弁１２２を設定する。また、バイパス用切換弁１２６を切り換えて、熱交換器１２３から出た冷媒を熱交換器１２５を介さずに、コンプレッサ１２１に戻すバイパス経路１２７を形成する。さらに、絞り弁１２３Ｃを絞り、冷媒を膨張させる膨張弁として機能させる。
【００３８】
ここで、膨張弁としての絞り弁１２３Ｃにより膨張され減圧した冷媒は、低温となり、熱交換器１２３Ａを通過する際に蒸発して、空気から吸熱を行う。なお、熱交換器１２３Ａは、図３（ｂ）に示すように、熱交換器１２３Ｂより上流側に配置されている。
【００３９】
続いて、熱交換器１２３Ａを通過した空気から吸熱した冷媒は、バイパス用切換弁１２６からバイパス経路１２７を経て、コンプレッサ１２１により圧縮され高温、高圧になり、熱交換器１２３Ｂを通過する際に凝縮して、空気に対して放熱を行う。よって、浴室１０２または洗面脱衣所１０４から吸引された空気は、最初に熱交換器１２３Ａを通過することで冷却除湿され、次に熱交換器１２３Ｂを通過することで再加熱される。このように再熱除湿された空気は、循環ファン１４０を運転することで、ダンパー１１４ｃまたはダクト口１１８ｄから浴室１０２または洗面脱衣所１０４に戻される。
【００４０】
ところで、第１区画１１２Ａには、上記したように、トイレ１０６の空気がダクト口１１８ｂから吸引されるので、臭気を伴う場合がある。このような場合、第１区画１１２Ａと他の区画１１２Ｂ、１１２Ｃとの間で密閉性を確保することで、換気経路から循環経路に臭気が漏れて、浴室１０２や洗面脱衣所１０４に臭気が循環することを回避できる。
【００４１】
そこで以下では、図３（ｂ）および図５を参照して、第１区画１１２Ａと他の区画１１２Ｂ、１１２Ｃとの密閉構造、および密閉構造に伴うヒートポンプ１２０のレイアウトについて説明する。図５は、空気調和機１１０の斜視図である。図５（ａ）は、空気調和機１１０の構造と共に空気の換気および循環を示す図である。図５（ｂ）は、図５（ａ）の空気調和機１１０をＣ方向から見た状態を示す図である。
【００４２】
ヒートポンプ１２０は、図３（ｂ）に示すように、第２区画１１２Ｂに配置された２つの熱交換器１２３Ａ、１２３Ｂを含む熱交換器１２３と、第１区画１１２Ａに配置された熱交換器１２５とを除いて、第３区画１１２Ｃに集約して配置されている。
【００４３】
ヒートポンプ１２０では、図３（ｂ）に示すように、コンプレッサ１２１が横置きに設置されている。コンプレッサ１２１を横置きにすることで、空気調和機１１０の高さ方向の大きさを小さくできる。また、コンプレッサ１２１の周辺には、上記した四方弁１２２、膨張弁１２４だけでなく、冷媒を貯めるためのアキュムレータ１２１ａ、熱交換器１２３の冷媒配管の接続に用いられるフレアナット１２８ａ、１２８ｂが配置されている。このフレアナット１２８ａ、１２８ｂを用いることで、熱交換器１２３をヒートポンプ１２０から取り外してメンテナンスを行うときに作業性が向上する。
【００４４】
第１区画１１２Ａは、図５（ｂ）に示すように、換気ファン１３０の隔壁１３２と、筐体１１２の隔壁１１９ｂと、端板１２５ａ、１２５ｂとにより、他の区画１１２Ｂ、１１２Ｃとの間で密閉性を確保している。すなわち、換気ファン１３０の隔壁１３２は、熱交換器１２５の上面を覆い、かつ、第３区画１１２Ｃとの間を隔てている。筐体１１２の隔壁１１９ｂは、換気ファン１３０と循環ファン１４０との間、すなわち第２区画１１２Ｂとの間を隔てている。端板１２５ａは、熱交換器１２５の側端部に設けられ、第３区画１１２Ｃとの間を隔てている。なお、端板１２５ａ、１２５ｂは、ダクト口１１８ａ、１１８ｂから吸引された空気が換気ファン１３０以外に導入されることも防止している。このため、換気ファン１３０と熱交換器１２５とを筐体１１２に取付けるだけで、熱交換器１２５の周囲で第１区画１１２Ａと他の区画１１２Ｂ、１１２Ｃとの間で密閉性を確保し、また、組立作業の簡略化を図ることができる。
【００４５】
さらに、熱交換器１２５の第３区画１１２Ｃ側の側端部には、ヒートポンプ１２０に延びる冷媒配管１２９が接続されている。冷媒配管１２９は、図５（ｂ）に示すように、熱交換器１２５の側端部で、端板１２５ａおよび換気ファン１３０の隔壁１３２に挟まれた位置からヒートポンプ１２０に延びている。このため、第１区画１１２Ａから第３区画１１２Ｃに延びた冷媒配管１２９により、第１区画１１２Ａの密閉性が損なわれることもなく、密閉性の確保が容易となる。なお、図５（ａ）に示すように、循環ファン１４０に隔壁１４２を設けて、例えば熱交換器１２３Ｂの側面あるいは上面を覆い、熱交換器１２３を通過する空気が循環ファン１４０に確実に吸引されるようにしてもよい。
【００４６】
図６は、空気調和機１１０の筐体１１２を説明する図である。図６（ａ）は、筐体１１２を示す斜視図である。図６（ｂ）は、筐体１１２の底板枠１１４に形成された各領域を示す上面図である。図６（ｃ）は、底板枠１１４でドレン水を受ける様子を示す上面図である。
【００４７】
筐体１１２の底板枠１１４には、図６（ａ）および図６（ｂ）に示すように、第１区画１１２Ａに配置される熱交換器１２５、および第２区画１１２Ｂに配置される熱交換器１２３をそれぞれ取付けるための取付部１８０、１８２が一体成形されている。また、筐体１１２の底板枠１１４には、コンプレッサ１２１を含むヒートポンプ１２０の大部分が配置される第３区画１１２Ｃとしてのサイクル室１８４と、ドレンポンプ１５０が配置されるドレン水排水領域１８６とが一体成形されている。このため、熱交換器１２３、１２５を含めたヒートポンプ１２０、ドレンポンプ１５０を筐体１１２に容易に取付けることができる。
【００４８】
筐体１１２の底板枠１１４には、図６（ｃ）に示すように、ドレンパン（図中、点線部分）１９０、１９２が一体成形されている。ドレンパン１９０、１９２は、熱交換器１２３、１２５で熱交換されて凝縮されたドレン水を受ける形状を有する。また、筐体１１２の底板枠１１４には、排水口１９４およびドレン水経路（図中、斜線部分）１９６が一体成形されている。
【００４９】
排水口１９４は、図６（ｂ）に示すドレン水排水領域１８６に形成されて、ドレン水を排水するための開口である。ドレン水経路１９６は、ドレンパン１９０、１９２から排水口１９４に至る経路であり、排水口１９４に近い程、高さが低くなる勾配を有している。このため、ドレン水は、図６（ｃ）で矢印に示すように、ドレンパン１９０、１９２から排水口１９４に流れ、排水口１９４から確実に排水される。なお、ヒートポンプ１２０からもドレン水が発生することから、図６（ｂ）に示すサイクル室１８４の周囲にもドレン水経路１９６が形成されている。このように、筐体１１２の底板枠１１４に、ドレンパン１９０、１９２、排水口１９４、ドレン水経路１９６が一体成形されるので、例えば既存のドレンパンからドレン水を受けるための連結用配管などが不要となり、構造を簡素化できる。
【００５０】
図７は、空気調和機１１０のコンプレッサ１２１および筐体１１２の下面に設置される枠材を示す図である。図７（ａ）は、横置きのコンプレッサ１２１を取付ける取付台を示す図である。図７（ｂ）は、図７（ａ）のコンプレッサ１２１を筐体１１２に取付ける状態と筐体１１２に枠材を取付けた状態を示す図である。図７（ｃ）は、図７（ｂ）の枠材が取付けられた空気調和機１１０を下方から見た状態を示す図である。
【００５１】
コンプレッサ１２１は、図７（ａ）および図７（ｂ）に示すように、アキュムレータ１２１ａと共に取付台２００に取付けられた状態で、筐体１１２の底板枠１１４に設置される。取付台２００は、板金製であり、防振ゴム２０２ａ、２０２ｂを介してコンプレッサを４点で支持する。このため、振動源となるコンプレッサ１２１の振動を低減できる。
【００５２】
また、筐体１１２の下面のうち、コンプレッサ１２１が配置されるサイクル室１８４（図６（ｂ）参照）に対応する領域には、図７（ｃ）に示すように、補強用リブ１９８が一体成形されている。補強用リブ１９８が、コンプレッサ１２１の重量を受けるので筐体１１２の強度を高めることができる。
【００５３】
さらに、筐体１１２の下面には、板金製の枠材２１０が取付けられている。この枠材２１０は、筐体１１２の下面を下方から覆っていて、図７（ｃ）に示すように、吊り金具２１０ａ、２１０ｂ、２１０ｃ、２１０ｄと支持部材２１２とが取付けられている。支持部材２１２は、板金製であり、筐体１１２に設置されたコンプレッサ１２１に対応する位置に橋渡しされている。吊り金具２１０ａ、２１０ｂ、２１０ｃ、２１０ｄは、枠材２１０の隅に設けられ、空気調和機１１０を天井の梁に吊るための部材である。よって、コンプレッサ１２１など重量が大きい各部材が搭載された筐体１１２全体を、支持部材２１２を含む枠材２１０で受けるので、筐体１１２が歪む等の不具合を回避できる。このため、重量が大きい空気調和機１１０を、吊り金具２１０ａ、２１０ｂ、２１０ｃ、２１０ｄを介して天井の梁から吊るして、確実に設置できる。
【００５４】
以上説明したように、本実施形態における空気調和機１１０では、第１区画１１２Ａが他の区画１１２Ｂ、１１２Ｃに対して仕切られ密閉されているので、臭気を伴うトイレ１０６の空気が、浴室１０２や洗面脱衣所１０４に循環することを防止できる。また、コンプレッサ１２１が横置きで筐体１１２内に配置されているので、空気調和機１１０の高さ方向の大きさを小さくできる。したがって、天井の高さに制限がある集合住宅においても、ヒートポンプ１２０を内蔵した独立型の空気調和機１１０として設置できる。
【００５５】
また、空気調和機１１０では、筐体１１２の上面が開放されていて、筐体１１２の中に上記各部材を収容した後に、そのままの姿勢で屋内の天井に設置でき、組立作業および設置作業の簡素化を図ることができる。また、排気の温熱および冷熱をヒートポンプ１２０の熱源として温度調節できるので、単に換気していた場合と比べて、空調機のＣＯＰ（動作係数）を向上させることができる。
【００５６】
さらに、空気調和機１１０では、ヒートポンプ１２０により、冷房運転、暖房運転に加えて、再熱除湿運転を行うことができる。一例として、浴室で衣類を乾燥させる際に、暖房気味の除湿運転を行うと、暖房気味であるので衣類周囲の相対湿度を低下させ、さらに、室内空間から吸込んだ空気を除湿するので、衣類乾燥を促進できる。また、再熱除湿運転では、衣類乾燥時に換気ファン１３０を用いて湿度を排出するとき、熱交換器１２３から出た冷媒を熱交換器１２５を介さずにコンプレッサ１２１に戻すバイパス経路１２７を形成している。このため、熱交換器１２５でドレン水が発生せず、換気ファン１３０の圧力損失を低減できるので、風量低下を防止できる。
【００５７】
上記実施形態では、熱交換器１２５に洗面脱衣所１０４およびトイレ１０６から吸引した空気を通過させ、また、熱交換器１２３に浴室１０２および洗面脱衣所１０４から吸引した空気を通過させるようにしたが、これに限定されない。一例として、熱交換器１２３、１２５をバイパスする経路を形成する図示しないダンパーを設けてもよい。このようにすれば、コンプレッサ１２１を停止した状態で換気ファン１３０または循環ファン１４０を動作させる場合に、ダンパーにより、熱交換器１２３、１２５を介さずに送風することにより、圧力損失を低減して、ファンの効率を改善することができる。
【００５８】
また、上記実施形態では、筐体１１２の下面を枠材２１０でのみ覆うようにしたが、これに限定されない。例えば、図８に示すように、筐体１１２と枠材２１０との間に、例えば発泡スチロールなどの断熱材２２０を配置してもよい。なお、図８は、空気調和機１１０に枠材２１０が取付けられる状態を示す図である。図８（ａ）は、筐体１１２に断熱材２２０を介して枠材２１０を取付ける状態を示す図である。図８（ｂ）は、図８（ｂ）の空気調和機１１０を下方から見た状態を示す図である。このように、筐体１１２と枠材２１０との間に断熱材２２０を配置することで、筐体１１２のドレン水と外部との間が断熱され、例えばドレン水の熱量を利用する場合に好適となる。
【００５９】
さらに、筐体１１２の第３区画１１２Ｃに吸音材を貼り付けて、例えばコンプレッサ１２１で発生する騒音を低減してもよい。このようにすれば、空気調和機１１０を天井に設置した状態で好適となる。
【００６０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６１】
本発明は、ヒートポンプを内蔵した独立型の空気調和機に利用することができる。
【符号の説明】
【００６２】
１００…居住空間、１０２…浴室、１０４…洗面脱衣所、１０６…トイレ、１０８…ダクト、１１０…空気調和機、１１２…筐体、１１２Ａ…第１区画、１１２Ｂ…第２区画、１１２Ｃ…第３区画、１１４…底板枠、１１４ａ〜１１４ｃ…ダンパー、１１６…側壁、１１８ａ〜１１８ｅ…ダクト口、１１９ａ…リブ、１１９ｂ…隔壁、１２０…ヒートポンプ、１２１…コンプレッサ、１２１ａ…アキュムレータ、１２２…四方弁、１２３、１２３Ａ、１２３Ｂ、１２５…熱交換器、１２３Ｃ…絞り弁、１２４…膨張弁、１２６…バイパス用切換弁、１２７…バイパス経路、１２８ａ、１２８ｂ…フレアナット、１２９…冷媒配管、１３０…換気ファン、１３２…隔壁、１４０…循環ファン、１５０…ドレンポンプ、１６０…天板、１７０…パネル、１８０、１８２…取付部、１８４…サイクル室、１８６…ドレン水排水領域、１９０、１９２…ドレンパン、１９４…排水口、１９６…ドレン水経路、１９８…補強用リブ、２００…取付台、２０２ａ、２０２ｂ…防振ゴム、２１０…枠材、２１０ａ〜２１０ｄ…吊り金具、２１２…支持部材、２２０…断熱材
【図１】
2012202680.tif 000003
【図２】
2012202680.tif 000004
【図３】
2012202680.tif 000005
【図４】
2012202680.tif 000006
【図５】
2012202680.tif 000007
【図６】
2012202680.tif 000008
【図７】
2012202680.tif 000009
【図８】
2012202680.tif 000010